(57)【要約】【課題】煩雑な処理を行なうことなく発生した異常を適切に表示できる分析装置を提供すること。【解決手段】この発明にかかる分析装置１は、操作可能領域と、当該分析装置におけるアラームを表示する警告表示領域とが表示領域内に設けられた表示部３８と、表示部３８におけるアラームの表示を制御する表示制御部３２と、警告表示領域に表示予定であるアラームを一時的に保持するアラームエリア用バッファ３３と、既に発生した警告情報を記憶する記憶部３５と、記憶部３５に記憶された所定のアラームの一覧表示を指示する入力部３６と、を備え、表示制御部３２は、入力部３６によって一覧表示が指示された場合、アラームエリア用バッファ３３から一時的に保持されたアラームを消去し、表示部３８に対して警告表示領域から表示中のアラームを消去させるとともにアラームリストを操作可能領域内に表示させる。【選択図】      図１
2008191092.tif 000002
【特許請求の範囲】
【請求項１】
検体を分析する分析装置において、
操作可能領域と、当該分析装置に発生した異常を示す警告情報を表示する警告表示領域とが表示領域内に設けられた表示手段と、
前記表示手段における前記警告情報の表示を制御する表示制御手段と、
前記警告表示領域に表示予定である前記警告情報を一時的に保持する保持手段と、
既に発生した異常に対する前記警告情報を記憶する記憶手段と、
前記記憶手段に記憶された所定の前記警告情報の一覧表示を指示する指示手段と、
を備え、
前記表示制御手段は、前記指示手段によって前記一覧表示が指示された場合、前記保持手段から一時的に保持された警告情報を消去し、前記表示手段に対して前記警告表示領域から表示中の前記警告情報を消去させるとともに前記指示手段によって指示された前記警告情報の一覧を前記操作可能領域内に表示させることを特徴とする分析装置。
【請求項２】
前記警告表示領域に表示される前記警告情報の消去を選択する選択手段をさらに備え、
前記表示制御手段は、前記選択手段によって前記警告情報の消去を選択された場合、前記表示手段に対して、前記警告表示領域から表示中の前記警告情報を消去させるとともに前記保持手段に保持される警告情報のうち次に表示予定である警告情報を前記警告表示領域に表示させることを特徴とする請求項１に記載の分析装置。
【請求項３】
前記表示制御手段は、複数の警告が発生した場合、前記表示手段の表示画面上に設けられた警告一覧ボタンを点滅表示させることを特徴とする請求項１または２に記載の分析装置。
【請求項４】
前記表示手段および前記指示手段は、表示画面を押圧することで情報入力可能なタッチパネルであり、
前記タッチパネルは、警告一覧ボタンを有し、前記警告一覧ボタンが押圧された場合に前記記憶手段に記憶された所定の警告情報の一覧表示を指示する一覧指示情報を前記表示制御手段に入力し、
前記表示制御手段は、前記一覧指示情報が入力された場合に、前記保持手段から一時的に保持された警告情報を消去し、前記表示手段に対して前記警告表示領域から表示中の前記警告情報を消去させるとともに前記一覧指示情報によって指示された前記警告情報の一覧を前記操作可能領域内に表示させることを特徴とする請求項１〜３のいずれか一つに記載の分析装置。
【請求項５】
前記表示制御手段は、複数の警告が発生した場合、前記タッチパネルにおける前記警告一覧ボタンを点滅表示させることを特徴とする請求項４に記載の分析装置。
【請求項６】
前記タッチパネルは、警告消去ボタンを有し、前記警告消去ボタンが押圧された場合に前記警告表示領域に表示される前記警告情報の消去を指示する消去指示情報を前記表示制御手段に入力し、
前記表示制御手段は、前記消去指示情報が入力された場合、前記表示手段に対して、前記警告表示領域から表示中の前記警告情報を消去させるとともに前記保持手段に保持される警告情報のうち次に表示予定である警告情報を前記警告表示領域に表示させることを特徴とする請求項４または５に記載の分析装置。
【発明の詳細な説明】
【技術分野】
【０００１】
この発明は、分析装置に発生した異常を示す警告情報を表示する表示処理に関する。
【背景技術】
【０００２】
従来、血液や体液等の検体を自動的に分析する装置として、試薬が分注された反応容器に検体を加え、反応容器内の試薬と検体の間で生じた反応を光学的に検出する分析装置が知られている。このような分析装置では、検体を収容した反応容器に光を照射後、反応容器内の液体を通過した所定波長の光の光量をもとに検体の分析を行っている。
【０００３】
このような分析装置においては、分析装置に発生した異常を示す警告をさまざまな方法で表示出力することによって、分析装置の操作者に分析装置に異常が発生した旨を報知している。たとえば、従来においては、異常発生時に警告を表示したウィンドウを自動的に表示させる分析装置、画面上の固定位置に警告表示専用の警告表示領域を設けた分析装置および異常発生時には発生した全異常を示す警告一覧表を表示させる分析装置が提案されている（たとえば、特許文献１および特許文献２参照）。
【０００４】
【特許文献１】特開平８−２７１５１８号公報
【特許文献２】特開平８−２６２０３１号公報
【発明の開示】
【発明が解決しようとする課題】
【０００５】
しかしながら、異常発生時に警告を表示したウィンドウを自動的に表示させる分析装置においては、操作者による画面操作中に警告を表示したウィンドウが表示された場合、操作者による操作処理が阻害されてしまう場合がある。さらに、この分析装置においては、複数の異常が発生した場合には各異常ごとにウィンドウが開くため、操作者は、緊急度の低い異常を示すウィンドウを閉じる処理などによって、緊急度の高い異常に対する処理を中断させられる場合がある。
【０００６】
また、画面上の固定位置に警告表示専用の警告表示領域を設けた分析装置においては、警告表示領域が限られるため、複数の異常が発生した場合には、前のアラームが次々と上書きされてしまい操作者が各異常の確認を十分に行なえない場合があった。また、この分析装置においては、操作者は次の警告を表示させるために表示中の警告をクリアするクリア処理を行なう必要があり、大量の異常が発生した場合には全異常を確認するために各警告ごとにクリア処理を繰り返すという煩雑な処理を行なわなければならない場合があった。また、この分析装置においては、警告表示領域をスクロールして複数の警告を順次表示させた場合、スクロールによって前の警告が隠れてしまい、操作者は発生した全異常を同時に把握することができない場合があった。
【０００７】
また、異常発生時には発生した全異常を示す警告一覧表を表示させる分析装置においては、分析装置に発生した異常が一つだけであった場合にも常に画面に大きく警告一覧表が表示されるため、操作者は、これまで行なっていた操作を一度中断せざるを得ないという問題があった。
【０００８】
本発明は、上記した従来技術の欠点に鑑みてなされたものであり、煩雑な処理を行なうことなく発生した異常を適切に表示できる分析装置を提供することを目的とする。
【課題を解決するための手段】
【０００９】
上述した課題を解決し、目的を達成するために、この発明にかかる分析装置は、検体を分析する分析装置において、操作可能領域と、当該分析装置に発生した異常を示す警告情報を表示する警告表示領域とが表示領域内に設けられた表示手段と、前記表示手段における前記警告情報の表示を制御する表示制御手段と、前記警告表示領域に表示予定である前記警告情報を一時的に保持する保持手段と、既に発生した異常に対する前記警告情報を記憶する記憶手段と、前記記憶手段に記憶された所定の前記警告情報の一覧表示を指示する指示手段と、を備え、前記表示制御手段は、前記指示手段によって前記一覧表示が指示された場合、前記保持手段から一時的に保持された警告情報を消去し、前記表示手段に対して前記警告表示領域から表示中の前記警告情報を消去させるとともに前記指示手段によって指示された前記警告情報の一覧を前記操作可能領域内に表示させることを特徴とする。
【００１０】
また、この発明にかかる分析装置は、前記警告表示領域に表示される前記警告情報の消去を選択する選択手段をさらに備え、前記表示制御手段は、前記選択手段によって前記警告情報の消去を選択された場合、前記表示手段に対して、前記警告表示領域から表示中の前記警告情報を消去させるとともに前記保持手段に保持される警告情報のうち次に表示予定である警告情報を前記警告表示領域に表示させることを特徴とする。
【００１１】
また、この発明にかかる分析装置は、前記表示制御手段は、複数の警告が発生した場合、前記表示手段の表示画面上に設けられた警告一覧ボタンを点滅表示させることを特徴とする。
【００１２】
また、この発明にかかる分析装置は、前記表示手段および前記指示手段は、表示画面を押圧することで情報入力可能なタッチパネルであり、前記タッチパネルは、警告一覧ボタンを有し、前記警告一覧ボタンが押圧された場合に前記記憶手段に記憶された所定の警告情報の一覧表示を指示する一覧指示情報を前記表示制御手段に入力し、前記表示制御手段は、前記一覧指示情報が入力された場合に、前記保持手段から一時的に保持された警告情報を消去し、前記表示手段に対して前記警告表示領域から表示中の前記警告情報を消去させるとともに前記一覧指示情報によって指示された前記警告情報の一覧を前記操作可能領域内に表示させることを特徴とする。
【００１３】
また、この発明にかかる分析装置は、前記表示制御手段は、複数の警告が発生した場合、前記タッチパネルにおける前記警告一覧ボタンを点滅表示させることを特徴とする。
【００１４】
また、この発明にかかる分析装置は、前記タッチパネルは、警告消去ボタンを有し、前記警告消去ボタンが押圧された場合に前記警告表示領域に表示される前記警告情報の消去を指示する消去指示情報を前記表示制御手段に入力し、前記表示制御手段は、前記消去指示情報が入力された場合、前記表示手段に対して、前記警告表示領域から表示中の前記警告情報を消去させるとともに前記保持手段に保持される警告情報のうち次に表示予定である警告情報を前記警告表示領域に表示させることを特徴とする。
【発明の効果】
【００１５】
本発明によれば、警告情報の一覧表示を一度指示するだけで、保持手段内に一時的に保持された警告情報の消去、警告表示領域に表示中の警告情報の消去、および、警告情報の一覧の操作可能領域内への表示が自動的に行なわれるため、煩雑な処理を行なうことなく発生した異常を適切に表示できる。
【発明を実施するための最良の形態】
【００１６】
以下、図面を参照して、この発明の実施の形態である分析装置について、液体である検体の吸光度をもとに検体を分析する分析装置を例に説明する。なお、この実施の形態によりこの発明が限定されるものではない。また、図面の記載において、同一部分には同一の符号を付している。
【００１７】
図１は、本実施の形態にかかる分析装置１の構成を示す模式図である。図１に示すように、分析装置１は、分析対象である検体および試薬を反応容器２１にそれぞれ分注し、分注した反応容器２１内で生じる反応を光学的に測定する測定機構２と、測定機構２を含む分析装置１全体の制御を行うとともに測定機構２における測定結果の分析を行う制御機構３とを備える。分析装置１は、これらの二つの機構が連携することによって複数の検体の生化学分析を自動的に行う。
【００１８】
測定機構２は、大別して検体移送部１１、検体分注機構１２、反応テーブル１３、試薬庫１４、読取部１６、試薬分注機構１７、攪拌部１８、測光部１９および洗浄部２０を備える。
【００１９】
検体移送部１１は、血液や尿等、液体である検体を収容した複数の検体容器１１ａを保持し、図中の矢印方向に順次移送する複数の検体ラック１１ｂを備える。検体移送部１１上の所定位置に移送された検体容器１１ａ内の検体は、検体分注機構１２によって、反応テーブル１３上に配列して搬送される反応容器２１に分注される。
【００２０】
検体分注機構１２は、鉛直方向への昇降および自身の基端部を通過する鉛直線を中心軸とする回転を自在に行うアーム１２ａを備える。このアーム１２ａの先端部には、検体の吸引および吐出を行うプローブが取り付けられている。検体分注機構１２は、図示しない吸排シリンジまたは圧電素子を用いた吸排機構を備える。検体分注機構１２は、上述した検体移送部１１上の所定位置に移送された検体容器１１ａの中からプローブによって検体を吸引し、アーム１２ａを図中時計回りに旋回させ、反応容器２１に検体を吐出して分注を行う。
【００２１】
反応テーブル１３は、反応容器２１への検体や試薬の分注、反応容器２１の攪拌、洗浄または測光を行うために反応容器２１を所定の位置まで移送する。この反応テーブル１３は、制御部３１の制御のもと、図示しない駆動機構が駆動することによって、反応テーブル１３の中心を通る鉛直線を回転軸として回動自在である。反応テーブル１３の上方と下方には、図示しない開閉自在な蓋と恒温槽がそれぞれ設けられている。
【００２２】
試薬庫１４は、反応容器２１内に分注される試薬が収容された試薬容器１５を複数収納できる。試薬庫１４には、複数の収納室が等間隔で配置されており、各収納室には試薬容器１５が着脱自在に収納される。試薬庫１４は、制御部３１の制御のもと、図示しない駆動機構が駆動することによって、試薬庫１４の中心を通る鉛直線を回転軸として時計回りまたは反時計回りに回動自在であり、所望の試薬容器１５を試薬分注機構１７による試薬吸引位置まで移送する。試薬庫１４の上方には、開閉自在な蓋（図示せず）が設けられている。また、試薬庫１４の下方には、恒温槽が設けられている。このため、試薬庫１４内に試薬容器１５が収納され、蓋が閉じられたときに、試薬容器１５内に収容された試薬を恒温状態に保ち、試薬容器１５内に収容された試薬の蒸発や変性を抑制することができる。
【００２３】
試薬容器１５の側面部には、試薬容器１５に収容された試薬に関する試薬情報が記録された記録媒体が付されている。記録媒体は、符号化された各種の情報を表示しており、光学的に読み取られる。試薬庫１４の外周部には、この記録媒体を光学的に読み取る読取部１６が設けられている。読取部１６は、記録媒体に対して赤外光または可視光を発し、記録媒体からの反射光を処理することによって、記録媒体の情報を読み取る。また、読取部１６は、記録媒体を撮像処理し、撮像処理によって得られた画像情報を解読して、記録媒体の情報を取得してもよい。
【００２４】
試薬分注機構１７は、検体分注機構１２と同様に、試薬の吸引および吐出を行うプローブが先端部に取り付けられたアーム１７ａを備える。アーム１７ａは、鉛直方向への昇降および自身の基端部を通過する鉛直線を中心軸とする回転を自在に行う。試薬分注機構１７は、試薬庫１４上の所定位置に移動された試薬容器１５内の試薬をプローブによって吸引し、アーム１７ａを図中時計回りに旋回させ、反応テーブル１３上の所定位置に搬送された反応容器２１に分注する。攪拌部１８は、反応容器２１に分注された検体と試薬との攪拌を行い、反応を促進させる。
【００２５】
測光部１９は、所定の測光位置に搬送された反応容器２１に光を照射し、反応容器２１内の液体を透過した光を受光して分光強度測定を行い、液体の吸光度を測定する。この測光部１９による測定結果は、制御部３１に出力され、分析部３４において分析される。
【００２６】
洗浄部２０は、図示しないノズルによって、測光部１９による測定が終了した反応容器２１内の混合液を吸引して排出するとともに、洗剤や洗浄水等の洗浄液を注入および吸引することで洗浄を行う。この洗浄した反応容器２１は再利用されるが、検査内容によっては１回の測定終了後に反応容器２１を廃棄してもよい。
【００２７】
つぎに、制御機構３について説明する。制御機構３は、制御部３１、分析部３４、記憶部３５、入力部３６、出力部３７および送受信部３９を備える。測定機構２および制御機構３が備えるこれらの各部は、制御部３１に電気的に接続されている。
【００２８】
制御部３１は、ＣＰＵ等を用いて構成され、分析装置１の各部の処理および動作を制御する。制御部３１は、これらの各構成部位に入出力される情報について所定の入出力制御を行い、かつ、この情報に対して所定の情報処理を行なう。制御部３１には、分析装置１の各部において発生した異常に対するアラームが各部から入力される。制御部３１は、表示制御部３２と、アラームエリア用バッファ３３を備える。なお、アラームは、特許請求の範囲における分析装置１に発生した異常を示す警告情報に対応する。
【００２９】
表示制御部３２は、後述する表示部３８の表示処理を制御する。表示制御部３２は、表示部３８におけるアラームの表示を制御する。アラームエリア用バッファ３３は、後述する表示部３８におけるアラームエリアに表示予定であるアラームを一時的に保持する。表示制御部３２は、アラームエリア用バッファ３３内へのアラームの入力およびアラームエリア用バッファ３３が保持するアラームの消去を行なう。
【００３０】
分析部３４は、測光部１９から取得した吸光度測定結果に基づいて検体の成分分析等を行う。記憶部３５は、情報を磁気的に記憶するハードディスクと、分析装置１が処理を実行する際にその処理にかかわる各種プログラムをハードディスクからロードして電気的に記憶するメモリとを用いて構成され、検体の分析結果等を含む諸情報を記憶する。記憶部３５は、分析装置１において既に発生した異常に対するアラームをアラーム発生日時等に対応させて記憶する。記憶部３５は、ＣＤ−ＲＯＭ、ＤＶＤ−ＲＯＭ、ＰＣカード等の記憶媒体に記憶された情報を読み取ることができる補助記憶装置を備えてもよい。
【００３１】
入力部３６は、キーボード、マウス等を用いて構成され、検体の分析に必要な諸情報や分析動作の指示情報等を外部から取得する。出力部３７は、ディスプレイによって構成された表示部３８を有するとともに、プリンタ、スピーカー等を用いて構成され、検体の分析結果を含む諸情報を出力する。表示部３８は、後述するように、操作エリアと、当該分析装置１に発生した異常を示すアラームを表示するアラームエリアとが表示領域内に設けられている。
【００３２】
表示部３８は、検体の分析に関する情報および分析装置１に発生した異常を示すアラームを表示出力する。表示部３８は、表示領域内に、操作可能領域である操作エリアと、分析装置１に発生した異常を示すアラームを表示する警告表示領域であるアラームエリアとが設けられる。入力部３６は、特許請求における指示手段として機能し、記憶部３５に記憶された所定のアラームの一覧であるアラームリストの表示を指示する。表示制御部３２は、入力部３６によって所定のアラームの一覧であるアラームリストの表示が指示された場合、アラームエリア用バッファ３３から一時的に保持されたアラームを消去し、表示部３８に対して後述するアラームエリアから表示中のアラームを消去させるとともに入力部３６によって指示されたアラームリストを後述する操作エリア内に表示させる。ここで、実施の形態においては、入力部３６および表示部３８とは、表示画面を押圧することで情報を入力可能であるタッチパネルを備えた場合を例に説明する。また、入力部３６は、特許請求の範囲における選択手段として機能し、アラームエリアに表示されるアラームの消去の選択を指示する消去指示情報を制御部３１に入力する。送受信部３９は、図示しない通信ネットワークを介して所定の形式にしたがった情報の送受信を行うインターフェースとしての機能を有する。
【００３３】
以上のように構成された分析装置１では、列をなして順次搬送される複数の反応容器２１に対して、検体分注機構１２が検体容器１１ａ中の検体を分注し、試薬分注機構１７が試薬容器１５中の試薬を分注した後、測光部１９が検体と試薬とを反応させた状態の試料の分光強度測定を行い、この測定結果を分析部３４が分析することで、検体の成分分析等が自動的に行われる。また、洗浄部２０が測光部１９による測定が終了した後に搬送される反応容器２１を搬送させながら洗浄することで、一連の分析動作が連続して繰り返し行われる。
【００３４】
つぎに、図１に示す分析装置におけるアラームの表示処理方法について説明する。まず、図２を参照して、入力部３６および表示部３８を構成するタッチパネル画面について説明する。図２は、分析装置１におけるタッチパネルの表示画面の内容を示し、ウィンドウＳとして表示される。ウィンドウＳには、大きくは、操作エリアＳＷ、アラームエリアＳａ、クリアボタンＰｃ、アラームリストボタンＰｔが固定して設けられている。
【００３５】
操作エリアＳＷは、図示しない操作項目を選択することによって、選択された操作項目に対応する操作メニューが表示される。操作者は、入力部３６を構成するマウスやキーボードを操作し、操作エリアＳＷ内に表示された操作メニュー内の各選択欄への情報の入力などを行なう。この結果、入力部３６から各種指示情報が制御部３１に入力され、制御部３１は、入力された各種指示情報にもとづいて分析装置１における各構成部位を制御する。操作エリアＳＷは、各操作メニューを表示可能であるようにウィンドウＳ内の上部領域を大きく占めるように設定されている。また、この操作エリアＳＷには、各操作メニューのほか、分析装置１において発生した異常に関するアラームの一覧がアラームリストとして表示される。
【００３６】
アラームエリアＳａは、ウィンドウＳ内における操作エリアＳＷの下方左側に設けられ、分析装置１に発生した異常を示すアラームを表示出力する。アラームエリアＳａには、アラームエリア用バッファ３３に一時的に保持されるアラームのうち異常発生日時が古い一つのアラームが表示される。なお、アラームエリアＳａに表示されたアラームは、表示制御部３２によってアラームエリア用バッファ３３から消去される。
【００３７】
クリアボタンＰｃは、アラームエリアＳａの右方向に設けられる。クリアボタンＰｃは、クリアボタンＰｃが押圧された場合にアラームエリアＳａに表示されるアラーム表示の消去、すなわちアラーム表示のクリアを指示するアラームクリア指示情報を表示制御部３２に入力する。表示制御部３２は、アラームクリア指示情報が入力された場合、アラームエリアＳａから表示中のアラームを消去させるとともにアラームエリア用バッファ３３に保持されるアラームのうち次に表示予定であるアラームをアラームエリアＳａに表示させる。
【００３８】
アラームリストボタンＰｔは、クリアボタンＰｃの右方向に設けられる。アラームリストボタンＰｔは、アラームリストボタンＰｔが押圧された場合に記憶部３５に記憶された所定のアラームをそれぞれ示すアラームリスト表示を指示するアラームリスト指示情報を表示制御部３２に入力する。表示制御部３２は、アラームリスト指示情報が入力された場合に、アラームエリア用バッファ３３から一時的に保持されたアラームを消去し、表示部３８に対してアラームエリアＳａから表示中のアラームを消去させるとともに、アラームリスト指示情報によって指示されたアラームリストを操作エリアＳＷ内に表示させる。また、表示制御部３２は、複数の異常が発生した場合、アラームリストボタンＰｔを点滅表示させる。
【００３９】
まず、図３を参照して、制御部３１にアラームが入力された場合における処理について説明する。図３に示すように、制御部３１は、分析装置１の各部からアラームを受信するまで、アラームを受信したか否かを判断する（ステップＳ１２）。制御部３１は、アラームを受信するまでステップＳ１２の判断を繰り返し、制御部３１がアラームを受信したと判断した場合（ステップＳ１２：Ｙｅｓ）、表示制御部３２は、表示部３８においてアラームエリアＳａにアラームが表示中であるか否かを判断する（ステップＳ１４）。そして、表示制御部３２は、アラームエリアＳａにアラームが表示中であると判断した場合（ステップＳ１４：Ｙｅｓ）、新たに受信したアラームを表示予定であるアラームとしてアラームエリア用バッファ３３内に蓄積する（ステップＳ１６）。また、表示制御部３２は、アラームエリアＳａにアラームが表示中でないと判断した場合（ステップＳ１４：Ｎｏ）、表示部３８に対し、アラームエリアＳａに受信したアラームを表示させる（ステップＳ１８）。この結果、図４に示すように、アラームエリアＳａ内に、受信したアラームが異常発生時間とともに表示される。
【００４０】
つぎに、図５を参照して、アラームエリアＳａに表示されたアラームがクリアされる処理について説明する。図５に示すように、表示制御部３２は、クリアボタンＰｃの押圧によって入力されるアラームクリア指示情報をもとに、アラームクリアの指示があるか否かを判断する（ステップＳ２２）。表示制御部３２は、アラームクリアの指示があると判断するまでステップＳ２２の判断を繰り返し、アラームクリアの指示があると判断した場合（ステップＳ２２：Ｙｅｓ）、アラームエリアＳａにアラームが表示中であるか否かを判断する（ステップＳ２４）。表示制御部３２は、アラームエリアＳａにアラームが表示中でないと判断した場合（ステップＳ２４：Ｎｏ）、アラームエリアＳａ内にクリア対象であるアラームがないため、このままアラームクリア処理を終了する。
【００４１】
これに対し、表示制御部３２は、アラームエリアＳａにアラームが表示中であると判断した場合（ステップＳ２４：Ｙｅｓ）、表示部３８に対し、アラームエリアＳａから表示中のアラームを消去させる（ステップＳ２８）。つぎに、表示制御部３２は、アラームエリア用バッファ３３に表示予定であるアラームがあるか否かを判断する（ステップＳ３０）。表示制御部３２は、アラームエリア用バッファ３３に表示予定であるアラームがないと判断した場合（ステップＳ３０：Ｎｏ）、アラームエリアＳａ内に表示させるアラームがないため、このままアラームクリア処理を終了する。
【００４２】
一方、表示制御部３２は、アラームエリア用バッファ３３に表示予定であるアラームがあると判断した場合（ステップＳ３０：Ｙｅｓ）、表示部３８に対し、アラームエリア用バッファ３３内のアラームのうち次に表示予定である異常発生日時が古い一のアラームをアラームエリアＳａに表示させ（ステップＳ３２）、アラームクリア処理を終了する。
【００４３】
この結果、分析装置１においては、アラームクリアボタンＰｃが押圧されるごとにアラームエリアＳａ内に順次アラームが表示されることとなり、分析装置の操作者は、アラームボタンＰｃを順次押圧して異常発生順に各アラームを確認することができる。
【００４４】
つぎに、図６を参照して、操作エリアＳＷ内にアラームリストを表示させる処理について説明する。まず、表示制御部３２は、アラームリストボタンＰｔの押圧によって入力されるアラームリスト指示情報をもとに、アラームリストの表示指示があるか否かを判断する（ステップＳ４２）。表示制御部３２は、アラームリストの表示指示があると判断するまでステップＳ４２の判断を繰り返し、アラームリストの表示指示があると判断した場合（ステップＳ４２：Ｙｅｓ）、アラームエリアＳａにアラームが表示中であるか否かを判断する（ステップＳ４４）。表示制御部３２は、アラームエリアＳａにアラームが表示中であると判断した場合（ステップＳ４４：Ｙｅｓ）、表示部３８に対し、アラームエリアＳａから表示中のアラームを消去させる（ステップＳ４６）。つぎに、表示制御部３２は、アラームエリア用バッファ３３に表示予定であるアラームがあるか否かを判断する（ステップＳ４８）。表示制御部３２は、アラームエリア用バッファ３３に表示予定であるアラームがあると判断した場合（ステップＳ４８：Ｙｅｓ）、アラームエリア用バッファ３３内から一時的に保持されたアラームを消去する（ステップＳ５０）。
【００４５】
そして、表示制御部３２は、アラームエリアＳａにアラームが表示中でないと判断した場合（ステップＳ４４：Ｎｏ）、アラームエリア用バッファ３３に表示予定であるアラームがないと判断した場合（ステップＳ４８：Ｎｏ）またはステップＳ５０によるアラームエリア用バッファ３３内のアラーム消去処理が終了した場合、記憶部３５からアラームリスト情報としてアラームリスト内に表示される各アラームの情報をそれぞれ取得する（ステップＳ５２）。そして、表示制御部３２は、取得したアラームリスト情報をもとに、表示部３８に対して、操作エリアＳＷ内にアラームリスト指示情報によって指示されたアラームリストを表示させる（ステップＳ５４）。
【００４６】
具体的には、図７に示すように、操作エリアＳＷ内には、異常が発生した日時、アラーム内容およびアラーム番号をそれぞれ対応づけて、上から発生日時が新しい順に各アラームが示されたアラームリストが表示される。このため、アラームリスト内には、新たに発生した異常に関するアラームも含まれることとなる。したがって、アラームエリア用バッファ３３に保持されていたアラームであってステップＳ５０において消去されアラームエリアＳａ内に未表示であるアラームも操作エリアＳａ内におけるアラームリスト内に示されることとなる。このように、分析装置１においては、アラームリストボタンＰｔが操作者によって一度押圧されるだけで、アラームエリア用バッファ３３内に一時的に保持されたアラームの消去、アラームエリアＳａに表示中のアラームの消去、および、アラームリストの操作エリアＳＷ内への表示が自動的に行なわれる。なお、アラームリストに表示されるアラームの内容は、予め設定されるほか、所定の設定メニューを呼び出して設定することもできる。また、アラームリストには、たとえば、発生日時が新しい順に所定数のアラームが表示され、または、最も新しく発生した異常と同一または類似する異常の所定数のアラームが発生日時の新しい順に表示される。
【００４７】
このように、実施の形態にかかる分析装置１においては、表示領域内にアラームが順次表示されるアラームエリアＳａが固定して設けられている。この分析装置１においては、操作者による操作処理はアラームエリアＳａとは別に固定して設けられている操作エリアＳＷ内で専ら行なわれるため、操作者による画面操作中にアラームが表示される場合であっても、操作者によるたとえば緊急度の高い異常に対する画面操作処理などを阻害することがない。なお、分析装置１においては、分析装置に発生した異常が一つだけであった場合にはもちろんアラームエリアＳａ内に表示されるため、操作者は、これまで行なっていた画面操作を中断することなく発生したアラームを把握することができる。
【００４８】
そして、分析装置１においては、複数の異常が発生した場合には、アラームリストボタンＰｔが点滅表示するため、操作者は、分析装置１において複数の異常が発生した旨を迅速に認識することができる。
【００４９】
そして、分析装置１においては、アラームリスト表示を一度指示するだけで、アラームエリア用バッファ３３内に一時的に保持されたアラームの消去、アラームエリアＳａに表示中のアラームの消去、および、アラームリストの操作エリアＳａ内への表示が自動的に行なわれる。言い換えると、分析装置１においては、操作者は、たとえばアラームリストボタンＰｔが点滅表示した場合において、発生した複数のアラームを確認したい場合には、アラームリストボタンＰｔを一度押圧するだけで、アラームリストの操作エリアＳａ内への表示とともにアラームエリア用バッファ３３内に一時的に保持されたアラームの消去およびアラームエリアＳａに表示中のアラームの消去が自動的に行なわれる。このため、分析装置１においては、新たに発生したアラームを含むアラームリストを煩雑な処理を行なうことなく適切に表示でき、操作者による操作性を高めることが可能になる。
【００５０】
したがって、分析装置１においては、複数の異常が発生した場合であっても、アラームリストボタンＰｔを一度押圧するだけで発生した複数の異常に対するアラームを含むとともに前のアラームも含まれるアラームリストを操作エリアＳＷ内に大きく表示させることができるため、操作者は、各異常の確認を十分に行なうことが可能になる。また、分析装置１においては、操作者がアラームリストボタンＰｔを一度押圧だけでアラームエリア用バッファ３３内に一時的に保持されたアラームの消去およびアラームエリアＳａに表示中のアラームの消去が自動的に行なわれるため、大量の異常が発生した場合であっても、従来必要であった各警告ごとにクリア処理を繰り返すという煩雑な処理を行なう必要がない。さらに、分析装置１においては、アラームリストボタンＰｔを一度押圧するだけで発生した複数の異常に対するアラームを含むアラームリストを操作エリアＳＷ内に大きく表示させることができるため、操作者は、表示されたアラームリストを確認することによって発生した全異常を同時に把握することが可能になり、各異常に対する対応を円滑に進めることができる。
【００５１】
なお、分析装置１においては、図７に示すアラームリストボタンＰｔを再度押圧することによって、図６に示す各処理手順が行なわれ、操作エリアＳＷ内のアラームリストが更新される。このため、新たに異常が発生した後にアラームリストボタンＰｔを再度押圧した場合、この新たに発生した異常に対するアラームを含んだ状態でアラームリストが更新表示される。また、分析装置１においては、アラームリストボタンＰｔを再度押圧されることによってアラームリストを更新表示するほか、図８に示すように、アラームリストに対する更新ボタンＰｒを個別に設け、この更新ボタンＰｒが操作者によって押圧された場合には、図６に示す処理手順を行なって新たなアラームを含んだアラームリストを更新表示してもよい。このように、分析装置１によれば、更新されたアラームリストを表示させるには、操作者がアラームリストボタンＰｔまたは更新ボタンＰｒを一度押圧するだけで足りる。
【００５２】
また、アラームエリアＳａには、アラームエリア用バッファ３３に一時的に保持されるアラームのうち異常発生日時が古い一のアラームが表示される場合について説明したが、もちろんこれに限らず、アラームエリア用バッファ３３に一時的に保持されるアラームのうち異常発生日時が古い二以上のアラームが表示されてもよい。
【００５３】
また、本実施の形態においては、入力部３６および表示部３８としてタッチパネルを備えた場合について説明したが、もちろんこれに限らない。タッチパネル形式ではないディスプレイを表示部３８として備え、入力部３６を構成するマウスおよびキーボードを用いて、ディスプレイの表示領域に設けられたクリアボタンＰｃ、アラームリストボタンＰｔおよび更新ボタンＰｒを選択することによって、入力部３６から制御部３１にアラームクリア指示情報、アラームリスト指示情報が入力されてもよい。また、表示制御部３６は、複数のアラームが発生した場合、ディスプレイ画面上におけるアラームリストボタンＰｔの表示領域を点滅表示させてもよい。
【００５４】
また、上記実施の形態で説明した分析装置１は、あらかじめ用意されたプログラムをコンピュータシステムで実行することによって実現することができる。このコンピュータシステムは、所定の記録媒体に記録されたプログラムを読み出して実行することで分析装置の処理動作を実現する。ここで、所定の記録媒体とは、フレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステムの内外に備えられるハードディスクドライブ（ＨＤＤ）などのように、プログラムの送信に際して短期にプログラムを保持する「通信媒体」など、コンピュータシステムによって読み取り可能なプログラムを記録する、あらゆる記録媒体を含むものである。また、このコンピュータシステムは、ネットワーク回線を介して接続した管理サーバや他のコンピュータシステムからプログラムを取得し、取得したプログラムを実行することで分析装置の処理動作を実現する。
【図面の簡単な説明】
【００５５】
【図１】実施の形態にかかる分析装置の要部構成を示す模式図である。
【図２】図１に示す表示部における表示画面の内容を示す図である。
【図３】図１に示す制御部にアラームが入力された場合の処理手順を示すフローチャートである。
【図４】図１に示す表示部における表示画面の一例を示す図である。
【図５】図２に示すアラームエリアに表示されたアラームがクリアされる処理手順を示すフローチャートである。
【図６】図２に示す操作エリア内にアラームリストを表示させる処理手順を示すフローチャートである。
【図７】図１に示す表示部における表示画面の一例を示す図である。
【図８】図１に示す表示部における表示画面の内容の他の例を示す図である。
【符号の説明】
【００５６】
１  分析装置
２  測定機構
３  制御機構
１１  検体移送部
１１ａ  検体容器
１１ｂ  検体ラック
１２  検体分注機構
１２ａ，１７ａ  アーム
１３  反応テーブル
１４  試薬庫
１５  試薬容器
１６  読取部
１７  試薬分注機構
１８  攪拌部
１９  測光部
２０  洗浄部
２１  反応容器
３１  制御部
３２  表示制御部
３３  アラームエリア用バッファ
３４  分析部
３５  記憶部
３６  入力部
３７  出力部
３８  表示部
３９  送受信部
【図１】
2008191092.tif 000003
【図２】
2008191092.tif 000004
【図３】
2008191092.tif 000005
【図４】
2008191092.tif 000006
【図５】
2008191092.tif 000007
【図６】
2008191092.tif 000008
【図７】
2008191092.tif 000009
【図８】
2008191092.tif 000010